【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
ビデオ復号の方法であって、
現在のビュー中の現在のピクチャ中の現在のブロックについての視差ベクトルを決定することと、
参照ビュー中の参照ピクチャ中のブロックを、前記現在のブロック内の中心２×２サブブロック中の右下画素から開始する前記視差ベクトルに基づいて、前記視差ベクトルが参照する前記参照ピクチャ中の位置に基づいて決定することと、ここにおいて、前記参照ビュー中の前記参照ピクチャ中の前記ブロックを決定することは、
前記参照ピクチャの幅、前記現在のブロックの左上隅のｘ座標、前記現在のブロックの幅及び前記視差ベクトルのｘ成分に基づいて前記参照ピクチャ中の前記位置のｘ座標を決定することと、ここにおいて、前記参照ピクチャ中の前記位置の前記ｘ座標はＣｌｉｐ３（０，ＰｉｃＷｉｄｔｈＩｎＳａｍｐｌｅｓL−１，ｘＰ＋（（ｎＰＳＷ）＞＞１）＋（（ｍｖＤｉｓｐ［０］＋２）＞＞２））に等しく、ＰｉｃＷｉｄｔｈＩｎＳａｍｐｌｅｓLが前記参照ピクチャの前記幅に等しく、ｘＰが前記現在のブロックの前記左上隅の前記ｘ座標に等しく、ｎＰＳＷが前記現在のブロックの前記幅に等しく、ｍｖＤｉｓｐ［０］が前記視差ベクトルの前記ｘ成分に等しく、前記＞＞がシフト演算であり、前記Ｃｌｉｐ３演算が第３の演算対象を第１及び第２の演算対象の範囲にクリッピングする、
前記参照ピクチャの高さ、前記現在のブロックの前記左上隅のｙ座標、前記現在のブロックの高さ及び前記視差ベクトルのｙ成分に基づいて前記参照ピクチャ中の前記位置のｙ座標を決定することと、ここにおいて、前記参照ピクチャ中の前記位置の前記ｙ座標はＣｌｉｐ３（０，ＰｉｃＨｅｉｇｈｔＩｎＳａｍｐｌｅｓL−１，ｙＰ＋（（ｎＰＳＨ）＞＞１）＋（（ｍｖＤｉｓｐ［１］＋２）＞＞２））に等しく、ＰｉｃＨｅｉｇｈｔＩｎＳａｍｐｌｅｓLが前記参照ピクチャの前記高さに等しく、ｙＰが前記現在のブロックの左上隅の前記ｙ座標に等しく、ｎＰＳＨが前記現在のブロックの前記高さに等しく、ｍｖＤｉｓｐ［１］が前記視差ベクトルの前記ｙ成分に等しい、
決定された前記ｘ及びｙ座標をカバーする前記ブロックを決定することと、
を備え、
決定された前記ブロックに基づいて前記現在のブロックをインター予測復号することと
を備える方法。
【請求項２】
前記現在のブロックをインター予測復号することは、決定された前記ブロックの動き情報に基づいて前記現在のブロックをインター予測復号すること、又は決定された前記ブロックの再構築に基づいて前記現在のブロックをインター予測復号すること、のうちの１つを備える、請求項１に記載の方法。
【請求項３】
前記参照ピクチャ中の前記ブロックを決定することは、前記視差ベクトルが参照する前記参照ピクチャ中の前記位置をカバーする４×４ブロックを決定することを備える、請求項１に記載の方法。
【請求項４】
決定された前記ブロックの動き情報を候補動きベクトル予測子のリストに挿入すること
を更に備え、
前記現在のブロックをインター予測復号することは、決定された前記ブロックの前記動き情報が候補動きベクトル予測子の前記リストから選択される場合に、決定された前記ブロックの前記動き情報を使用して前記現在のブロックをインター予測復号することを備える、請求項１に記載の方法。
【請求項５】
ビデオ符号化の方法であって、
現在のビュー中の現在のピクチャ中の現在のブロックについての視差ベクトルを決定することと、
参照ビュー中の参照ピクチャ中のブロックを、前記現在のブロック内の中心２×２サブブロック中の右下画素から開始する前記視差ベクトルに基づいて、前記視差ベクトルが参照する前記参照ピクチャ中の位置に基づいて決定することと、ここにおいて、前記参照ビュー中の前記参照ピクチャ中の前記ブロックを決定することは、
前記参照ピクチャの幅、前記現在のブロックの左上隅のｘ座標、前記現在のブロックの幅及び前記視差ベクトルのｘ成分に基づいて前記参照ピクチャ中の前記位置のｘ座標を決定することと、ここにおいて、前記参照ピクチャ中の前記位置の前記ｘ座標はＣｌｉｐ３（０，ＰｉｃＷｉｄｔｈＩｎＳａｍｐｌｅｓL−１，ｘＰ＋（（ｎＰＳＷ）＞＞１）＋（（ｍｖＤｉｓｐ［０］＋２）＞＞２））に等しく、ＰｉｃＷｉｄｔｈＩｎＳａｍｐｌｅｓLが前記参照ピクチャの前記幅に等しく、ｘＰが前記現在のブロックの前記左上隅の前記ｘ座標に等しく、ｎＰＳＷが前記現在のブロックの前記幅に等しく、ｍｖＤｉｓｐ［０］が前記視差ベクトルの前記ｘ成分に等しく、前記＞＞がシフト演算であり、前記Ｃｌｉｐ３演算が第３の演算対象を第１及び第２の演算対象の範囲にクリッピングする、
前記参照ピクチャの高さ、前記現在のブロックの前記左上隅のｙ座標、前記現在のブロックの高さ及び前記視差ベクトルのｙ成分に基づいて前記参照ピクチャ中の前記位置のｙ座標を決定することと、ここにおいて、前記参照ピクチャ中の前記位置の前記ｙ座標はＣｌｉｐ３（０，ＰｉｃＨｅｉｇｈｔＩｎＳａｍｐｌｅｓL−１，ｙＰ＋（（ｎＰＳＨ）＞＞１）＋（（ｍｖＤｉｓｐ［１］＋２）＞＞２））に等しく、ＰｉｃＨｅｉｇｈｔＩｎＳａｍｐｌｅｓLが前記参照ピクチャの前記高さに等しく、ｙＰが前記現在のブロックの前記左上隅の前記ｙ座標に等しく、ｎＰＳＨが前記現在のブロックの前記高さに等しく、ｍｖＤｉｓｐ［１］が前記視差ベクトルの前記ｙ成分に等しい、
決定された前記ｘ及びｙ座標をカバーする前記ブロックを決定することと、
を備え、
決定された前記ブロックに基づいて前記現在のブロックをインター予測符号化することと
を備える方法。
【請求項６】
前記現在のブロックをインター予測符号化することは、決定された前記ブロックの動き情報に基づいて前記現在のブロックをインター予測符号化すること、又は決定された前記ブロックの再構築に基づいて前記現在のブロックをインター予測符号化すること、のうちの１つを備える、請求項５に記載の方法。
【請求項７】
前記参照ピクチャ中の前記ブロックを決定することは、前記視差ベクトルが参照する前記参照ピクチャ中の前記位置をカバーする４×４ブロックを決定することを備える、請求項５に記載の方法。
【請求項８】
決定された前記ブロックの動き情報を候補動きベクトル予測子のリストに挿入すること
を更に備え、
前記現在のブロックをインター予測符号化することは、決定された前記ブロックの前記動き情報が候補動きベクトル予測子の前記リストから選択される場合に、決定された前記ブロックの前記動き情報を使用して前記現在のブロックをインター予測符号化することを備える、請求項５に記載の方法。
【請求項９】
ビデオコード化のための機器であって、
ビデオデータを記憶するように構成されたビデオデータメモリと、
１つ以上のプロセッサを備えるビデオコーダと、前記ビデオコーダは、
記憶された前記ビデオデータに基づいて、現在のビュー中の現在のピクチャ中の現在のブロックについての視差ベクトルを決定し、
参照ビュー中の参照ピクチャ中のブロックを、前記現在のブロック内の中心２×２サブブロック中の右下画素から開始する前記視差ベクトルに基づいて、前記視差ベクトルが参照する前記参照ピクチャ中の位置に基づいて決定し、ここにおいて、前記参照ビュー中の前記参照ピクチャ中の前記ブロックを決定するために、前記ビデオコーダは、
前記参照ピクチャの幅、前記現在のブロックの左上隅のｘ座標、前記現在のブロックの幅及び前記視差ベクトルのｘ成分に基づいて前記参照ピクチャ中の前記位置のｘ座標を決定し、ここにおいて、前記参照ピクチャ中の前記位置の前記ｘ座標はＣｌｉｐ３（０，ＰｉｃＷｉｄｔｈＩｎＳａｍｐｌｅｓL−１，ｘＰ＋（（ｎＰＳＷ）＞＞１）＋（（ｍｖＤｉｓｐ［０］＋２）＞＞２））に等しく、ＰｉｃＷｉｄｔｈＩｎＳａｍｐｌｅｓLが前記参照ピクチャの前記幅に等しく、ｘＰが前記現在のブロックの前記左上隅の前記ｘ座標に等しく、ｎＰＳＷが前記現在のブロックの前記幅に等しく、ｍｖＤｉｓｐ［０］が前記視差ベクトルの前記ｘ成分に等しく、前記＞＞がシフト演算であり、前記Ｃｌｉｐ３演算が第３の演算対象を第１及び第２の演算対象の範囲にクリッピングする、
前記参照ピクチャの高さ、前記現在のブロックの前記左上隅のｙ座標、前記現在のブロックの高さ及び前記視差ベクトルのｙ成分に基づいて前記参照ピクチャ中の前記位置のｙ座標を決定し、ここにおいて、前記参照ピクチャ中の前記位置の前記ｙ座標はＣｌｉｐ３（０，ＰｉｃＨｅｉｇｈｔＩｎＳａｍｐｌｅｓL−１，ｙＰ＋（（ｎＰＳＨ）＞＞１）＋（（ｍｖＤｉｓｐ［１］＋２）＞＞２））に等しく、ＰｉｃＨｅｉｇｈｔＩｎＳａｍｐｌｅｓLが前記参照ピクチャの前記高さに等しく、ｙＰが前記現在のブロックの左上隅の前記ｙ座標に等しく、ｎＰＳＨが前記現在のブロックの前記高さに等しく、ｍｖＤｉｓｐ［１］が前記視差ベクトルの前記ｙ成分に等しい、
決定された前記ｘ及びｙ座標をカバーする前記ブロックを決定するように構成され、
決定された前記ブロックに基づいて前記現在のブロックをインター予測コード化する
ように構成される
を備える機器。
【請求項１０】
前記現在のブロックをインター予測コード化するために、前記ビデオコーダは、決定された前記ブロックの動き情報に基づいて前記現在のブロックをインター予測コード化すること、又は決定された前記ブロックの再構築に基づいて前記現在のブロックをインター予測コード化すること、のうちの１つを行うように構成される、請求項９に記載の機器。
【請求項１１】
前記参照ピクチャ中の前記ブロックを決定するために、前記ビデオコーダは、前記視差ベクトルが参照する前記参照ピクチャ中の前記位置をカバーする４×４ブロックを決定するように構成される、請求項９に記載の機器。
【請求項１２】
前記ビデオコーダは、決定された前記ブロックの動き情報を候補動きベクトル予測子のリストに挿入するように構成され、
前記現在のブロックをインター予測コード化するために、前記ビデオコーダは、決定された前記ブロックの前記動き情報が候補動きベクトル予測子の前記リストから選択される場合に、決定された前記ブロックの前記動き情報を使用して前記現在のブロックをインター予測コード化するように構成される、請求項９に記載の機器。
【請求項１３】
前記機器は、
マイクロプロセッサ、
集積回路、又は
前記ビデオコーダを含むワイヤレス通信機器
のうちの１つを備える、請求項９に記載の機器。
【請求項１４】
命令を記憶したコンピュータ可読記憶媒体であって、前記命令は実行されたときに、ビデオコード化のための機器の１つ以上のプロセッサに、
現在のビュー中の現在のピクチャ中の現在のブロックについての視差ベクトルを決定することと、
参照ビュー中の参照ピクチャ中のブロックを、前記現在のブロック内の中心２×２サブブロック中の右下画素から開始する前記視差ベクトルに基づいて、前記視差ベクトルが参照する前記参照ピクチャ中の位置に基づいて決定することと、ここにおいて、前記１つ以上のプロセッサに、前記参照ビュー中の前記参照ピクチャ中の前記ブロックを決定させる前記命令は、前記１つ以上のプロセッサに、
前記参照ピクチャの幅、前記現在のブロックの左上隅のｘ座標、前記現在のブロックの幅及び前記視差ベクトルのｘ成分に基づいて前記参照ピクチャ中の前記位置のｘ座標を決定することと、ここにおいて、前記参照ピクチャ中の前記位置の前記ｘ座標はＣｌｉｐ３（０，ＰｉｃＷｉｄｔｈＩｎＳａｍｐｌｅｓL−１，ｘＰ＋（（ｎＰＳＷ）＞＞１）＋（（ｍｖＤｉｓｐ［０］＋２）＞＞２））に等しく、ＰｉｃＷｉｄｔｈＩｎＳａｍｐｌｅｓLが前記参照ピクチャの前記幅に等しく、ｘＰが前記現在のブロックの前記左上隅の前記ｘ座標に等しく、ｎＰＳＷが前記現在のブロックの前記幅に等しく、ｍｖＤｉｓｐ［０］が前記視差ベクトルの前記ｘ成分に等しく、前記＞＞がシフト演算であり、前記Ｃｌｉｐ３演算が第３の演算対象を第１及び第２の演算対象の範囲にクリッピングする、
前記参照ピクチャの高さ、前記現在のブロックの前記左上隅のｙ座標、前記現在のブロックの高さ及び前記視差ベクトルのｙ成分に基づいて前記参照ピクチャ中の前記位置のｙ座標を決定することと、ここにおいて、前記参照ピクチャ中の前記位置の前記ｙ座標はＣｌｉｐ３（０，ＰｉｃＨｅｉｇｈｔＩｎＳａｍｐｌｅｓL−１，ｙＰ＋（（ｎＰＳＨ）＞＞１）＋（（ｍｖＤｉｓｐ［１］＋２）＞＞２））に等しく、ＰｉｃＨｅｉｇｈｔＩｎＳａｍｐｌｅｓLが前記参照ピクチャの前記高さに等しく、ｙＰが前記現在のブロックの左上隅の前記ｙ座標に等しく、ｎＰＳＨが前記現在のブロックの前記高さに等しく、ｍｖＤｉｓｐ［１］が前記視差ベクトルの前記ｙ成分に等しい、
決定された前記ｘ及びｙ座標をカバーする前記ブロックを決定することとを行わせる命令を備え、
決定された前記ブロックに基づいて前記現在のブロックをインター予測コード化することと
を行わせる、コンピュータ可読記憶媒体。
【請求項１５】
前記１つ以上のプロセッサに、前記参照ピクチャ中の前記ブロックを決定することを行わせる前記命令は、前記１つ以上のプロセッサに、前記視差ベクトルが参照する前記参照ピクチャ中の前記位置をカバーする４×４ブロックを決定することを行わせる命令を備える、請求項１４に記載のコンピュータ可読記憶媒体。
【手続補正２】
【補正対象書類名】明細書
【補正対象項目名】０２７４
【補正方法】変更
【補正の内容】
【０２７４】
[0285]様々な例が説明された。これら及び他の例は、以下の特許請求の範囲の範囲内にある。
以下に本願の出願当初の特許請求の範囲に記載された発明を付記する。
［Ｃ１］
ビデオ復号の方法であって、
現在のビュー中の現在のピクチャ中の現在のブロックについての視差ベクトルを決定することと、
参照ビュー中の参照ピクチャ中のブロックを、前記現在のブロック内の中心２×２サブブロック中の右下画素から開始する前記視差ベクトルに基づいて、前記視差ベクトルが参照する前記参照ピクチャ中の位置に基づいて決定することと、
決定された前記ブロックに基づいて前記現在のブロックをインター予測復号することと
を備える方法。
［Ｃ２］
前記現在のブロック内の前記中心２×２サブブロック中の前記右下画素の座標は（（ｘＰ＋（ｎＰＳＷ＞＞１）），（ｙＰ＋（ｎＰＳＨ＞＞１）））に等しく、ここにおいて、ｙＰが前記現在のブロックの左上隅のｙ座標に等しく、ｘＰが前記現在のブロックの左上隅のｘ座標に等しく、ｎＰＳＷが前記現在のブロックの幅に等しく、ｎＰＳＨが前記現在のブロックの高さに等しい、Ｃ１に記載の方法。
［Ｃ３］
前記参照ビュー中の前記参照ピクチャ中の前記ブロックを決定することは、
前記参照ピクチャ中の前記位置のｘ座標及びｙ座標を決定することと、
決定された前記ｘ座標及びｙ座標をカバーする前記ブロックを決定することと
を備え、
前記参照ピクチャ中の前記位置の前記ｘ座標はｘＰ＋（（ｎＰＳＷ）＞＞１）＋（（ｍｖＤｉｓｐ［０］＋２）＞＞２））に等しく、前記参照ピクチャ中の前記位置の前記ｙ座標はｙＰ＋（（ｎＰＳＨ）＞＞１）＋（（ｍｖＤｉｓｐ［１］＋２）＞＞２））に等しく、ここにおいて、ｘＰが前記現在のブロックの左上隅のｘ座標に等しく、ｙＰが前記現在のブロックの左上隅のｙ座標に等しく、ｎＰＳＷが前記現在のブロックの幅に等しく、ｎＰＳＨが前記現在のブロックの高さに等しく、ｍｖＤｉｓｐ［０］が前記視差ベクトルのｘ成分に等しく、ｍｖＤｉｓｐ［１］が前記視差ベクトルのｙ成分に等しい、Ｃ１に記載の方法。
［Ｃ４］
前記参照ビュー中の前記参照ピクチャ中の前記ブロックを決定することは、
前記参照ピクチャ中の前記位置のｘ座標及びｙ座標を決定することと、
決定された前記ｘ座標及びｙ座標をカバーする前記ブロックを決定することと
を備え、
前記参照ピクチャ中の前記位置の前記ｘ座標はＣｌｉｐ３（０，ＰｉｃＷｉｄｔｈＩｎＳａｍｐｌｅｓL−１，ｘＰ＋（（ｎＰＳＷ）＞＞１）＋（（ｍｖＤｉｓｐ［０］＋２）＞＞２））に等しく、前記参照ピクチャ中の前記位置の前記ｙ座標はＣｌｉｐ３（０，ＰｉｃＨｅｉｇｈｔＩｎＳａｍｐｌｅｓL−１，ｙＰ＋（（ｎＰＳＨ）＞＞１）＋（（ｍｖＤｉｓｐ［１］＋２）＞＞２））に等しく、ここにおいて、ＰｉｃＷｉｄｔｈＩｎＳａｍｐｌｅｓLが前記参照ピクチャの幅に等しく、ＰｉｃＨｅｉｇｈｔＩｎＳａｍｐｌｅｓLが前記参照ピクチャの高さに等しく、ｘＰが前記現在のブロックの左上隅のｘ座標に等しく、ｙＰが前記現在のブロックの左上隅のｙ座標に等しく、ｎＰＳＷが前記現在のブロックの幅に等しく、ｎＰＳＨが前記現在のブロックの高さに等しく、ｍｖＤｉｓｐ［０］が前記視差ベクトルのｘ成分に等しく、ｍｖＤｉｓｐ［１］が前記視差ベクトルのｙ成分に等しい、Ｃ１に記載の方法。
［Ｃ５］
前記現在のブロックをインター予測復号することは、決定された前記ブロックの動き情報に基づいて前記現在のブロックをインター予測復号すること、又は前記決定されたブロックの再構築に基づいて前記現在のブロックをインター予測復号すること、のうちの１つを備える、Ｃ１に記載の方法。
［Ｃ６］
前記参照ピクチャ中の前記ブロックを決定することは、前記視差ベクトルが参照する前記参照ピクチャ中の前記位置をカバーする４×４ブロックを決定することを備える、Ｃ１に記載の方法。
［Ｃ７］
決定された前記ブロックの動き情報を候補動きベクトル予測子のリストに挿入すること
を更に備え、
前記現在のブロックをインター予測復号することは、決定された前記ブロックの前記動き情報が候補動きベクトル予測子の前記リストから選択された場合に、前記決定されたブロックの前記動き情報を使用して前記現在のブロックをインター予測復号することを備える、Ｃ１に記載の方法。
［Ｃ８］
ビデオ符号化の方法であって、
現在のビュー中の現在のピクチャ中の現在のブロックについての視差ベクトルを決定することと、
参照ビュー中の参照ピクチャ中のブロックを、前記現在のブロック内の中心２×２サブブロック中の右下画素から開始する前記視差ベクトルに基づいて、前記視差ベクトルが参照する前記参照ピクチャ中の位置に基づいて決定することと、
決定された前記ブロックに基づいて前記現在のブロックをインター予測符号化することと
を備える方法。
［Ｃ９］
前記現在のブロック内の前記中心２×２サブブロック中の前記右下画素の座標は（（ｘＰ＋（ｎＰＳＷ＞＞１）），（ｙＰ＋（ｎＰＳＨ＞＞１）））に等しく、ここにおいて、ｙＰが前記現在のブロックの左上隅のｙ座標に等しく、ｘＰが前記現在のブロックの左上隅のｘ座標に等しく、ｎＰＳＷが前記現在のブロックの幅に等しく、ｎＰＳＨが前記現在のブロックの高さに等しい、Ｃ８に記載の方法。
［Ｃ１０］
前記参照ビュー中の前記参照ピクチャ中の前記ブロックを決定することは、
前記参照ピクチャ中の前記位置のｘ座標及びｙ座標を決定することと、
決定された前記ｘ座標及びｙ座標をカバーする前記ブロックを決定することと
を備え、
前記参照ピクチャ中の前記位置の前記ｘ座標はｘＰ＋（（ｎＰＳＷ）＞＞１）＋（（ｍｖＤｉｓｐ［０］＋２）＞＞２））に等しく、前記参照ピクチャ中の前記位置の前記ｙ座標はｙＰ＋（（ｎＰＳＨ）＞＞１）＋（（ｍｖＤｉｓｐ［１］＋２）＞＞２））に等しく、ここにおいて、ｘＰが前記現在のブロックの左上隅のｘ座標に等しく、ｙＰが前記現在のブロックの左上隅のｙ座標に等しく、ｎＰＳＷが前記現在のブロックの幅に等しく、ｎＰＳＨが前記現在のブロックの高さに等しく、ｍｖＤｉｓｐ［０］が前記視差ベクトルのｘ成分に等しく、ｍｖＤｉｓｐ［１］が前記視差ベクトルのｙ成分に等しい、Ｃ８に記載の方法。
［Ｃ１１］
前記参照ビュー中の前記参照ピクチャ中の前記ブロックを決定することは、
前記参照ピクチャ中の前記位置のｘ座標及びｙ座標を決定することと、
決定された前記ｘ座標及びｙ座標をカバーする前記ブロックを決定することと
を備え、
前記参照ピクチャ中の前記位置の前記ｘ座標はＣｌｉｐ３（０，ＰｉｃＷｉｄｔｈＩｎＳａｍｐｌｅｓL−１，ｘＰ＋（（ｎＰＳＷ）＞＞１）＋（（ｍｖＤｉｓｐ［０］＋２）＞＞２））に等しく、前記参照ピクチャ中の前記位置の前記ｙ座標はＣｌｉｐ３（０，ＰｉｃＨｅｉｇｈｔＩｎＳａｍｐｌｅｓL−１，ｙＰ＋（（ｎＰＳＨ）＞＞１）＋（（ｍｖＤｉｓｐ［１］＋２）＞＞２））に等しく、ここにおいて、ＰｉｃＷｉｄｔｈＩｎＳａｍｐｌｅｓLが前記参照ピクチャの幅に等しく、ＰｉｃＨｅｉｇｈｔＩｎＳａｍｐｌｅｓLが前記参照ピクチャの高さに等しく、ｘＰが前記現在のブロックの左上隅のｘ座標に等しく、ｙＰが前記現在のブロックの左上隅のｙ座標に等しく、ｎＰＳＷが前記現在のブロックの幅に等しく、ｎＰＳＨが前記現在のブロックの高さに等しく、ｍｖＤｉｓｐ［０］が前記視差ベクトルのｘ成分に等しく、ｍｖＤｉｓｐ［１］が前記視差ベクトルのｙ成分に等しい、Ｃ８に記載の方法。
［Ｃ１２］
前記現在のブロックをインター予測符号化することは、決定された前記ブロックの動き情報に基づいて前記現在のブロックをインター予測符号化すること、又は前記決定されたブロックの再構築に基づいて前記現在のブロックをインター予測符号化すること、のうちの１つを備える、Ｃ８に記載の方法。
［Ｃ１３］
前記参照ピクチャ中の前記ブロックを決定することは、前記視差ベクトルが参照する前記参照ピクチャ中の前記位置をカバーする４×４ブロックを決定することを備える、Ｃ８に記載の方法。
［Ｃ１４］
決定された前記ブロックの動き情報を候補動きベクトル予測子のリストに挿入すること
を更に備え、
前記現在のブロックをインター予測符号化することは、決定された前記ブロックの前記動き情報が候補動きベクトル予測子の前記リストから選択された場合に、決定された前記ブロックの前記動き情報を使用して前記現在のブロックをインター予測符号化することを備える、Ｃ８に記載の方法。
［Ｃ１５］
ビデオコード化のための機器であって、
ビデオデータを記憶するように構成されたビデオデータメモリと、
１つ以上のプロセッサを備え、
記憶された前記ビデオデータに基づいて、現在のビュー中の現在のピクチャ中の現在のブロックについての視差ベクトルを決定し、
参照ビュー中の参照ピクチャ中のブロックを、前記現在のブロック内の中心２×２サブブロック中の右下画素から開始する前記視差ベクトルに基づいて、前記視差ベクトルが参照する前記参照ピクチャ中の位置に基づいて決定し、
決定された前記ブロックに基づいて前記現在のブロックをインター予測コード化する
ように構成されたビデオコーダと
を備える機器。
［Ｃ１６］
前記現在のブロック内の前記中心２×２サブブロック中の前記右下画素の座標は（（ｘＰ＋（ｎＰＳＷ＞＞１）），（ｙＰ＋（ｎＰＳＨ＞＞１）））に等しく、ここにおいて、ｙＰが前記現在のブロックの左上隅のｙ座標に等しく、ｘＰが前記現在のブロックの左上隅のｘ座標に等しく、ｎＰＳＷが前記現在のブロックの幅に等しく、ｎＰＳＨが前記現在のブロックの高さに等しい、Ｃ１５に記載の機器。
［Ｃ１７］
前記参照ビュー中の前記参照ピクチャ中の前記ブロックを決定するために、前記ビデオコーダは、
前記参照ピクチャ中の前記位置のｘ座標及びｙ座標を決定し、
決定された前記ｘ座標及びｙ座標をカバーする前記ブロックを決定する
ように構成され、
前記参照ピクチャ中の前記位置の前記ｘ座標はｘＰ＋（（ｎＰＳＷ）＞＞１）＋（（ｍｖＤｉｓｐ［０］＋２）＞＞２））に等しく、前記参照ピクチャ中の前記位置の前記ｙ座標はｙＰ＋（（ｎＰＳＨ）＞＞１）＋（（ｍｖＤｉｓｐ［１］＋２）＞＞２））に等しく、ここにおいて、ｘＰが前記現在のブロックの左上隅のｘ座標に等しく、ｙＰが前記現在のブロックの左上隅のｙ座標に等しく、ｎＰＳＷが前記現在のブロックの幅に等しく、ｎＰＳＨが前記現在のブロックの高さに等しく、ｍｖＤｉｓｐ［０］が前記視差ベクトルのｘ成分に等しく、ｍｖＤｉｓｐ［１］が前記視差ベクトルのｙ成分に等しい、Ｃ１５に記載の機器。
［Ｃ１８］
前記参照ビュー中の前記参照ピクチャ中の前記ブロックを決定するために、前記ビデオコーダは、
前記参照ピクチャ中の前記位置のｘ座標及びｙ座標を決定し、
決定された前記ｘ座標及びｙ座標をカバーする前記ブロックを決定する
ように構成され、
前記参照ピクチャ中の前記位置の前記ｘ座標はＣｌｉｐ３（０，ＰｉｃＷｉｄｔｈＩｎＳａｍｐｌｅｓL−１，ｘＰ＋（（ｎＰＳＷ）＞＞１）＋（（ｍｖＤｉｓｐ［０］＋２）＞＞２））に等しく、前記参照ピクチャ中の前記位置の前記ｙ座標はＣｌｉｐ３（０，ＰｉｃＨｅｉｇｈｔＩｎＳａｍｐｌｅｓL−１，ｙＰ＋（（ｎＰＳＨ）＞＞１）＋（（ｍｖＤｉｓｐ［１］＋２）＞＞２））に等しく、ここにおいて、ＰｉｃＷｉｄｔｈＩｎＳａｍｐｌｅｓLが前記参照ピクチャの幅に等しく、ＰｉｃＨｅｉｇｈｔＩｎＳａｍｐｌｅｓLが前記参照ピクチャの高さに等しく、ｘＰが前記現在のブロックの左上隅のｘ座標に等しく、ｙＰが前記現在のブロックの左上隅のｙ座標に等しく、ｎＰＳＷが前記現在のブロックの幅に等しく、ｎＰＳＨが前記現在のブロックの高さに等しく、ｍｖＤｉｓｐ［０］が前記視差ベクトルのｘ成分に等しく、ｍｖＤｉｓｐ［１］が前記視差ベクトルのｙ成分に等しい、Ｃ１５に記載の機器。
［Ｃ１９］
前記現在のブロックをインター予測コード化するために、前記ビデオコーダは、決定された前記ブロックの動き情報に基づいて前記現在のブロックをインター予測コード化すること、又は前記決定されたブロックの再構築に基づいて前記現在のブロックをインター予測コード化すること、のうちの１つを行うように構成される、Ｃ１５に記載の機器。
［Ｃ２０］
前記参照ピクチャ中の前記ブロックを決定するために、前記ビデオコーダは、前記視差ベクトルが参照する前記参照ピクチャ中の前記位置をカバーする４×４ブロックを決定するように構成される、Ｃ１５に記載の機器。
［Ｃ２１］
前記ビデオコーダは、決定された前記ブロックの動き情報を候補動きベクトル予測子のリストに挿入するように構成され、
前記現在のブロックをインター予測コード化するために、前記ビデオコーダは、前記決定されたブロックの前記動き情報が候補動きベクトル予測子の前記リストから選択された場合に、前記決定されたブロックの前記動き情報を使用して前記現在のブロックをインター予測コード化するように構成される、Ｃ１５に記載の機器。
［Ｃ２２］
前記機器は、
マイクロプロセッサ、
集積回路、又は
前記ビデオコーダを含むワイヤレス通信機器
のうちの１つを備える、Ｃ１５に記載の機器。
［Ｃ２３］
命令を記憶したコンピュータ可読記憶媒体であって、前記命令は実行されたときに、ビデオコード化のための機器の１つ以上のプロセッサに、
現在のビュー中の現在のピクチャ中の現在のブロックについての視差ベクトルを決定することと、
参照ビュー中の参照ピクチャ中のブロックを、前記現在のブロック内の中心２×２サブブロック中の右下画素から開始する前記視差ベクトルに基づいて、前記視差ベクトルが参照する前記参照ピクチャ中の位置に基づいて決定することと、
決定された前記ブロックに基づいて前記現在のブロックをインター予測コード化することと
を行わせる、コンピュータ可読記憶媒体。
［Ｃ２４］
前記現在のブロック内の前記中心２×２サブブロック中の前記右下画素の座標は（（ｘＰ＋（ｎＰＳＷ＞＞１）），（ｙＰ＋（ｎＰＳＨ＞＞１）））に等しく、ここにおいて、ｙＰが前記現在のブロックの左上隅のｙ座標に等しく、ｘＰが前記現在のブロックの左上隅のｘ座標に等しく、ｎＰＳＷが前記現在のブロックの幅に等しく、ｎＰＳＨが前記現在のブロックの高さに等しい、Ｃ２３に記載のコンピュータ可読記憶媒体。
［Ｃ２５］
前記１つ以上のプロセッサに、前記参照ピクチャ中の前記ブロックを決定することを行わせる前記命令は、前記１つ以上のプロセッサに、前記視差ベクトルが参照する前記参照ピクチャ中の前記位置をカバーする４×４ブロックを決定することを行わせる命令を備える、Ｃ２３に記載のコンピュータ可読記憶媒体。